(57)【要約】【課題】洗浄水の噴出圧力、噴出量が低下してもリム内に汚れが生じにくく、また、汚れが生じた場合でも容易に掃除をすることのできる水洗便器の洗浄構造を提供する。【解決手段】便器の開口縁部に下方に向けてリム壁部１を垂設し、下に開口したリム通水路２を形成し、便器の開口縁部の後端部に設けられた水供給部３から洗浄水を該リム通水路２に向けて噴出し洗浄する水洗便器Ａであって、噴出水が旋回流となって水洗ボウル５全体を洗浄するように上記水供給部の片側に水噴出孔４を設けるとともに、上記リム通水路２が水噴出孔４から離れるに従ってリム壁部１の垂下長１１ａ、１２ａ、１３ａが短くなるようにされた水洗便器の洗浄構造。【選択図】図２
2007315009.tif 000002
【特許請求の範囲】
【請求項１】
便器の開口縁部に下方に向けてリム壁部を垂設し、下に開口したリム通水路を形成し、便器の開口縁部の後端部に設けられた水供給部から洗浄水を該リム通水路に向けて噴出し洗浄する水洗便器であって、噴出水が旋回流となって水洗ボウル全体を洗浄するように上記水供給部の片側に水噴出孔を設けるとともに、上記リム通水路が水噴出孔から離れるに従ってリム壁部の垂下長が短くなるようにされた水洗便器の洗浄構造。
【請求項２】
上記水洗便器の開口縁部前側に垂下してリム通水路を形成するリム壁部の垂下長が上記開口縁部前側全域に亘って略同一とされた請求項１に記載の水洗便器の洗浄構造。
【発明の詳細な説明】
【技術分野】
【０００１】
本発明は、水洗便器に関する。さらに詳しくは、洗浄水を旋回流として噴出し、トルネード式に水洗ボウルを洗浄する水洗便器の洗浄構造に関する。
【背景技術】
【０００２】
従来、水洗ボウル内に水を噴出して洗浄する水洗便器の構造については種々提案されている。例えば、下記特許文献１には、便器の上開口縁部に下方に向けてリム壁部を突設し、下方に開口したリム通水路を形成するとともに、便器の上縁部の後端部に水供給部を設け、該水供給部の両側部にそれぞれリム通水路に水を供給するための水供給孔を形成し、そして、片側の水供給孔の孔径と他の片側の水供給孔の孔径とを異ならせた技術が開示されている。
【特許文献１】特開平１０−３０２６６号公報（第１〜３頁、第２図）
【発明の開示】
【発明が解決しようとする課題】
【０００３】
上記特許文献１に記載の技術は、洗浄水を下方に開口したオープンタイプのリム通水路から旋回流として水洗ボウル内壁に沿って噴出させ、洗浄を行うものである。しかしながら、水供給孔から離れるにしたがって噴出力が弱まるため、水供給孔から遠い部分の垂下したリムの内側面の洗浄度が低下し、カビや微生物等に起因する汚れが発生し易く、不潔になるという問題がある。
【０００４】
本発明は、このような問題点を解決して、水供給孔から離れたリム通水路において、洗浄水の噴出圧力、噴出量が低下してもリム内に汚れが生じにくく、また、汚れが発生した場合でも容易に掃除をすることのできる水洗便器の洗浄構造を提供することを、その課題とする。
【課題を解決するための手段】
【０００５】
上記課題を解決するために、本発明においては、つぎのような技術的手段を講じている。すなわち、請求項１に記載の発明によれば、便器の開口縁部に下方に向けてリム壁部を垂設し、下に開口したリム通水路を形成し、便器の開口縁部の後端部に設けられた水供給部から洗浄水を該リム通水路に向けて噴出し洗浄する水洗便器であって、噴出水が旋回流となって水洗ボウル全体を洗浄するように上記水供給部の片側に水噴出孔を設けるとともに、上記リム通水路が水噴出孔から離れるに従ってリム壁部の垂下長が短くなるようにされた水洗便器の洗浄構造が提供される。
【０００６】
請求項２に記載の水洗便器の洗浄構造は、請求項１に記載の発明に加えて、上記水洗便器の開口縁部前側に垂下してリム通水路を形成するリム壁部の垂下長が上記開口縁部前側全域に亘って略同一とされる。
【発明の効果】
【０００７】
請求項１に記載の発明にかかる水洗便器の洗浄構造は上記のとおりであり、便器の開口縁部に垂設されたリム壁部によって下に開口したリム通水路を形成し、便器の開口縁部の後端部に設けられた水供給部の片側に水噴出孔を設け、上記リム通水路に向けて水を噴出し旋回流を形成して洗浄する水洗便器であって、上記リム通水路が水噴出孔から離れるに従ってリム壁部の垂下長が短くなるようにされているため、洗浄水が開口縁全周に亘って旋回流を形成し、効率的に水洗ボウルを洗浄することができる。
【０００８】
また、水噴出孔から遠い部分のリム通水路は、洗浄水の流量が少なくなり、噴出圧力も弱くなっているカビや微生物等により汚れが生じることが多いが、汚れが生じた場合でも、リム壁部の垂下長が短いため、容易に手を入れて掃除することが可能であり、水洗便器を清潔に保つことができる。
【０００９】
請求項２に記載の水洗便器の洗浄構造は上記のとおりであり、請求項１の水洗便器の洗浄構造の有する効果に加え、上記水洗便器の開口縁部前側に垂下してリム通水路を形成するリム壁部の垂下長が上記開口縁部前側全域に亘って略同一とされているため、噴出孔から中間距離にある水洗便器の開口縁部前側部分において、洗浄水の噴出力を中程度に保持できるとともに、洗浄水の一部は下方に噴出してボウルの前方の洗浄に使用され、残りの部分はさらにリム通水路に送られ旋回流を形成して効率よく便器を洗浄することができる。
【発明を実施するための最良の形態】
【００１０】
以下、本発明にかかる水洗便器の洗浄構造の実施形態について図面を参照して詳細に説明する。図１は上記水洗便器Ａの平面図であって該水洗便器によって生じる洗浄水の旋回流を模式的に示すものである。図１に示すように、本発明にかかる水洗便器Ａの開口縁部には全周に亘って下方に向けてリム壁部１を垂下させ、リム壁部１の内側と水洗ボウル５の内壁上端部とによって後記するリム通水路が形成される。
【００１１】
図１に示すように、水洗便器Ａの開口縁部の後端部には水供給部３が設けられ、図示しないロータンクから水が供給されると上記水供給部３の片側に設けられ、リム通水路に向けて開口する水噴出孔４から洗浄水が噴出し、矢印で示すように旋回流を形成し、トルネード式に水洗ボウル５を洗浄する。本実施形態においては、上記リム壁部１を水噴出孔４から比較的近い距離にある部分を近距離部１１、中間にある部分を中間部１２、遠い部分にある部分を遠距離部１３として説明する。
【００１２】
図２は、図１におけるＸ−Ｘ線に沿う断面図である。図２に示されるように、上記リム壁部１の近距離部１１においては、リム壁部１と水洗ボウル５の内壁上端部とによって形成されるリム通水路２を流れる洗浄水は水噴出孔４に近く、噴出圧力、噴出量とも大きいため、上記近距離部１１の垂下長１１ａを長くして、噴出する水流の主流をリム通水路２に流し、水流の一部を下方に旋回流として流し、水洗ボウル５の洗浄に用いる。一方、洗浄水の噴出圧力、噴出量は水噴出孔４から離れるにしたがって小さくなるため、リム壁部１の近距離部１１の垂下長１１ａも徐々に短くし、リム通水路２に送る洗浄水の量を保ちつつ、旋回流を形成するように下向きの洗浄水の水勢をも保つ。
【００１３】
図３は、図１におけるＹ−Ｙ線に沿う断面図である。図３に示すように、水噴出孔４から中間距離にある水洗便器１の開口縁部前側においてはリム壁部１の中間部１２の垂下長１２ａは中間部１２全域に亘って略同一とされている。上記開口縁部前側においては、洗浄水の噴出圧力、噴出量もやや小さくなり、また、垂下長１２ａが略同一とされているため、洗浄水の噴出力は中程度に保持されたまま、洗浄水の一部は下方に噴出して水洗ボウル５の前方の洗浄に使用され、残りの部分はさらにリム通水路２に送られ旋回流を形成する。
【００１４】
図４は、図１におけるＺ−Ｚ線に沿う断面図である。図４に示すように、水噴出孔４から遠い部分にあるリム壁部１の遠距離部１３においては、中間部１２からリム通水路２の出口にかけてリム垂下長１３ａは、さらに、徐々に短くなるようにされている。上記遠距離部１３においては、洗浄水の噴出圧力、噴出量がともに小さくなっているため、リム壁部１の垂下長１３ａを短くしても洗浄水は飛散することなく旋回流を形成し、水洗ボウル５の後部を洗浄することができる。
【００１５】
リム壁部１の遠距離部１３の裏面は、上記したようにリム通水路２を流れる洗浄水の流量も少なくなり、噴出力も弱くなっているため、カビや微生物等により汚れが生じる場合がある。しかしながら、汚れが生じた場合でも、遠距離部１３ではリム壁部１の垂下長１３ａが短いため、容易に手を入れて掃除することが可能であり、水洗便器を清潔に保つことができる。このように、本発明は洗浄水を旋回流として流し、トルネード式に水洗ボウル５を効率的に洗浄することができるとともに、リム壁部１の垂下長１１ａ、１２ａ、１３ａを微妙に調節することにより、通常、目に触れることのない洗浄水のリム通水路２を清潔に保つことができる。
【図面の簡単な説明】
【００１６】
【図１】本発明にかかる水洗便器にかかる洗浄水の旋回流を模式的に示す平面図である。
【図２】図１におけるＸ−Ｘ線に沿う断面図である。
【図３】図１におけるＹ−Ｙ線に沿う断面図である。
【図４】図１におけるＺ−Ｚ線に沿う断面図である。
【符号の説明】
【００１７】
Ａ          本発明にかかる水洗便器
１          リム壁部
１１        近距離部
１１ａ      垂下長
１２        中間部
１２ａ      垂下長
１３        遠距離部
１３ａ      垂下長
２          リム通水路
３          水供給部
４          噴出孔
５          水洗ボウル
【図１】
2007315009.tif 000003
【図２】
2007315009.tif 000004
【図３】
2007315009.tif 000005
【図４】
2007315009.tif 000006